(57)【特許請求の範囲】
【請求項１】
揮散性を有する薬剤（Ｐ）が充填された容器本体（１）と、前記容器本体（１）を内部に保持する揮散部本体（１０）とを有し、前記容器本体（１）を保持した揮散部本体（１０）を横置きに設置した状態で使用される揮散容器であって、
前記揮散部本体（１０）が、前記容器本体（１）を収容する収容部（１１）と、前記容器本体（１）を前記収容部（１１）内に導入可能な開口部（１１Ｅ）と、前記容器本体（１）の口筒部（２）を嵌合して前記収容部（１１）内に保持する嵌合部（１２）と、前記薬剤（Ｐ）を揮散させる揮散孔（１６ａ）を有すると共に前記収容部（１１）内に収容された前記容器本体（１）の口筒部（２）に対向配置される仕切壁（１６）と、前記仕切壁（１６）に対向配置されて、前記揮散孔（１６ａ）が外部に露出されないように覆い隠す遮蔽体（１７）と、を有することを特徴とする揮散容器。
【請求項２】
遮蔽体（１７）は、仕切壁（１６）に対向配置される遮蔽前面壁（１７ａ）と、下面を除いた上面、左面及び右面の３面を覆う遮蔽側面壁（１７ｂ）を有すると共に、下面側に揮散口（１７ｄ）を形成し、前記遮蔽側面壁（１７ｂ）の上面を傾斜面（１７ｃ）で形成した請求項１記載の揮散容器。
【請求項３】
嵌合部（１２）を、大径寸法から成る第１嵌合部（１３）と小径寸法から成る第２嵌合部（１４）とを有して構成し、
前記第１嵌合部（１３）の内周面に、大口径の容器本体（１Ｂ）に形成されたネックリング（７Ｂ）に係合する係止凸部（１３ａ）を形成し、前記第２嵌合部（１４）の内周面に、大口径の容器本体（１Ｂ）の口筒部（２）に形成された雄ネジ部（６）と小口径の容器本体（１Ａ）に形成されたネックリング（７Ａ）の双方に係合可能な係止凸部（１４ａ）を形成した請求項１又は２に記載の揮散容器。
【請求項４】
収容部（１１）の下側面（１１Ｄ）側に、揮散部本体（１０）を横置きに設置する脚部（１１ａ）を設けた請求項１乃至３のいずれか一項に記載の揮散容器。
【発明の詳細な説明】
【技術分野】
【０００１】
本発明は液状、固形状又はジェル状などからなる薬剤を空気中に揮散する揮散容器に関する。
【背景技術】
【０００２】
以下の特許文献１には、内部に揮発性薬剤が収容された容器本体１の開放上端部に、容器本体１の内部に連通する複数の透孔７を有するカバー６が装着されて成る薬剤揮散容器が記載されている。揮発性薬剤は、カバー６の透孔７を通じて容器本体１の内部から外部に揮散されるようになっている。
【先行技術文献】
【特許文献】
【０００３】
【特許文献１】実公昭５７−３３１４号公報
【発明の概要】
【発明が解決しようとする課題】
【０００４】
しかし、上記特許文献１に記載の揮散容器は、カバー６に複数の透孔７が設けられる構成であるため、揮散容器を例えば浴室内や屋外において使用する場合において、シャワーや雨等の水がカバー６にかかると、水が透孔７を介して容器本体１内に侵入し、内部に収容されている薬剤が変質する虞があった。
【０００５】
あるいは水の影響によって揮散速度が低下し、薬効成分を効率良く空気中に揮散させることが困難になるという問題があった。
【０００６】
またこのような薬剤は、一般に詰め替えボトルに収容して販売されるが、容量の違いにより、詰め替えボトルの口径寸法が異なる場合があり、口径寸法に応じたカバー６を夫々用意する必要がある点で煩雑であった。
【０００７】
また詰め替えボトルの場合において、水の浸入を防ぎ且つ薬剤が確実に揮散されるようにするためには、口筒部に取り付ける揮散部本体（カバーに相当）が２パーツ以上の成形品を組み立てる必要があることから部品点数の削減による製造コストの低廉化が難しいという問題があった。また例え１パーツで成形することができる場合であっても、成形後に後加工が必要となるため、コストの高騰を抑制することが困難であった。
【０００８】
本発明は、上記した従来技術における問題点を解消すべく、揮散部本体を一体成形可能に形成すると共に水の浸入を防止し、薬効成分を効率良く空気中に揮散させることを可能とした揮散容器を創出することを課題とする。
【課題を解決するための手段】
【０００９】
上記課題を解決するための手段のうち、本発明の主たる手段は、
揮散性を有する薬剤が充填された容器本体と、容器本体を内部に保持する揮散部本体とを有し、容器本体を保持した揮散部本体を横置きに設置した状態で使用される揮散容器であって、揮散部本体が、容器本体を収容する収容部と、容器本体を収容部内に導入可能な開口部と、容器本体の口筒部を嵌合して収容部内に保持する嵌合部と、薬剤を揮散させる揮散孔を有すると共に収容部内に収容された容器本体の口筒部に対向配置される仕切壁と、仕切壁に対向配置されて、揮散孔が外部に露出されないように覆い隠す遮蔽体と、を有することを特徴とする、と云うものである。
【００１０】
本発明の主たる手段では、容器本体を内部に収容した状態で、薬剤の揮散と水の浸入防止とを可能とする揮散容器を一体的に形成し得る。
【００１１】
また本発明の他の手段は、上記主たる手段に、遮蔽体は、仕切壁に対向配置される遮蔽前面壁と、下面を除いた上面、左面及び右面の３面を覆う遮蔽側面壁を有すると共に、下面側に揮散口を形成し、前記遮蔽側面壁の上面を傾斜面で形成した、との構成を加えたものである。
【００１２】
上記手段では、揮散孔を遮蔽体の下に隠すことにより、揮散孔からの水の浸入を防止し得る。また下面側に揮散口を形成することにより、外部への揮散経路を確保し得る。さらに上面に傾斜面を形成することにより、遮蔽体の上面に水が溜ることを防止し得る。
【００１３】
また本発明の他の手段は、上記いずれかの手段に、嵌合部を、大径寸法から成る第１嵌合部と小径寸法から成る第２嵌合部とを有して構成し、
第１嵌合部の内周面に、大口径の容器本体に形成されたネックリングに係合する係止凸部を形成し、第２嵌合部の内周面に、大口径の容器本体の口筒部に形成された雄ネジ部と小口径の容器本体に形成されたネックリングの双方に係合可能な係止凸部を形成した、との構成を加えたものである。
【００１４】
上記手段では、口径寸法の異なる容器本体を揮散部本体内に装着し得る。
【００１５】
また本発明の他の手段は、上記いずれかの手段に、収容部の下側面側に、揮散部本体を横置きに設置する脚部を設けた、との構成を加えたものである。
【００１６】
上記手段では、揮散容器を安定して横置きに設置し得る。
【発明の効果】
【００１７】
本発明は、上記した構成となっているので、以下に示す効果を奏する。
本発明では、容器本体を内部に収容した状態で、薬剤の揮散と水の浸入防止とを可能とする揮散容器を一体成形することが可能となるため、部品点数の削減による製造コストの低廉化を達成することができる。
【００１８】
また揮散孔を遮蔽体の下に隠すことにより、揮散容器を例えば浴室や屋外において使用しても、遮蔽体がシャワーや雨等の水を遮って揮散孔からの水の侵入を防止することが可能となるため、容器本体内に収容されている薬剤の変質を防止できる。
【００１９】
また水の影響による揮散速度の低下を抑止し、薬効成分を効率良く空気中に揮散させることが可能となり、結果として薬剤等を十分に付与することが可能となる。
【図面の簡単な説明】
【００２０】
【図１】本発明の揮散容器を示す正面図である。
【図２】小口径の容器本体を収容した使用状態を示す揮散容器の断面図である。
【図３】大口径の容器本体を収容した使用状態を示す揮散容器の断面図である。
【発明を実施するための形態】
【００２１】
以下、本発明の実施の形態について図面を参照しつつ説明する。
図１は本発明の揮散容器を示す正面図、図２は小口径の容器本体を収容した使用状態を示す揮散容器の断面図、図３は大口径の容器本体を収容した使用状態を示す揮散容器の断面図である。
【００２２】
本発明の揮散容器は、例えば除菌、防虫、芳香又は消臭等を目的とし、液状、固形状又はジェル状などからなる揮発性の薬剤を屋内や屋外を問わず、空気中に揮散させるためのものである。揮散容器は薬剤Ｐを収容する容器本体１と、薬剤Ｐを容器本体１の外部に揮散させるための揮散部本体１０とを有して構成され、いずれも合成樹脂材料により形成されている。
【００２３】
まず揮散容器の構成について説明する。
本実施例に示す容器本体１は詰め替え容器として使用可能であり、口径寸法の異なる２種類、すなわち図２に示すような小口径の容器本体１Ａと、図３に示すような大口径の容器本体１Ｂが存在する。小口径の容器本体１Ａ及び大口径の容器本体１Ｂは、いずれも口筒部２と、この口筒部２から下方に向かって拡径状に形成された肩部３と、角筒状の胴部４と、底部５とを有する有底筒状のブロー成形等で成形された容器であり、口筒部２の内面には雄ネジ部６が刻設され、口筒部２の外面の下部位置には円環状のネックリング７が突出形成されている。
【００２４】
揮散部本体１０は、図１の正面方向から見て略正方形状から成り、容器本体１の特に胴部４を収容する収容部１１を有する。収容部１１は上側面１１Ａ、左側面１１Ｂ及び右側面１１Ｃの３つの側面を有して構成され、下側面１１Ｄ側に相当する側面は開放されている。また下側面１１Ｄ側には、左側面１１Ｂ及び右側面１１Ｃから延設され、揮散部本体１０を横置きに設置する４本の脚部１１ａが形成されている。
【００２５】
収容部１１の前方（図２及び図３では収容部１１の左側）には、ネックリング７を含む口筒部２に嵌合可能な嵌合部１２が設けられている。嵌合部１２は、大径寸法から成る短円筒状の第１嵌合部１３と、この第１嵌合部１３の前方（図２及び図３では第１嵌合部１３の左側）の位置に、第１嵌合部１３よりも小径寸法から成る短円筒状の第２嵌合部１４が連設された構成である。これら嵌合部１２の前方（図２及び図３では嵌合部１２の左側）の位置には、短円筒状からなる第１被覆部１５とその前面に一体に形成された仕切壁１６とが連設されており、これらにより収容部１１の前方部分が覆われている。さらにこの仕切壁１６の前方の位置には、仕切壁１６から所定の距離を隔てて対向する遮蔽体１７が一体に形成されている。
【００２６】
第１嵌合部１３の内周面には大口径の容器本体１Ｂに形成されているネックリング７Ｂに対して係合可能な大径状の係止凸部１３ａが周突設されており、第２嵌合部１４の内周面には大口径の容器本体１Ｂの口筒部２に形成されている雄ネジ部６と小口径の容器本体１Ａに形成されているネックリング７Ａの双方に対して係合可能な小径状の係止凸部１４ａが周突設されている。
さらに収容部１１の後方（図２及び図３では右側）の端部には容器本体１を収容部１１内に導入するための開口部１１Ｅが形成されている。また仕切壁１６には内外を連通する揮散孔１６ａが穿設され、仕切壁１６の内面には短円筒状からなる第２被覆部１８が形成されている。
【００２７】
遮蔽体１７はその前方に略円盤状に形成された遮蔽前面壁１７ａと、正面から見たときに下面を除いた上面、左面及び右面の３面に第１被覆部１５から連続して形成された遮蔽側面壁１７ｂとを有して構成されている。遮蔽前面壁１７ａの上部（遮蔽側面壁１７ｂの上面でもある）は第１被覆部１５から連続する傾斜面１７ｃで形成され、下面側には開放された揮散口１７ｄが形成されている。仕切壁１６と遮蔽前面壁１７ａとの間には揮散通路Ｓが形成されており、揮散孔１６ａと揮散口１７ｄとの間はこの揮散通路Ｓを通じて連通している。そして、このような遮蔽体１７は、外部に直接露出されないように揮散孔１６ａを隠している。
なお、遮蔽前面壁１７ａの前面には、例えば動物の顔（図１では子豚の顔）等が刻設され、第２嵌合部１４と第１被覆部１５との境界部分には動物の耳に相当する一対の突片１９が形成されている。
【００２８】
次に、揮散容器の組み付けについて説明する。
薬剤Ｐが充填された容器本体１の揮散部本体１０への導入は、小口径の容器本体１Ａ及び大口径の容器本体１Ｂのいずれの場合にも、容器本体１の口筒部２を開口部１１Ｅ側から挿入することにより行われる。
【００２９】
図２に示すように、小口径の容器本体１Ａの場合には、挿入した口筒部２の先端面を仕切壁１６の内面に当接させると、小口径の容器本体１Ａ側のネックリング７Ａが揮散部本体１０の第２嵌合部１４の内周面に形成された小径状の係止凸部１４ａを乗り越えて係合すると共に、口筒部２の内周面に第２被覆部１８が入り込んで密着する。これにより、小口径の容器本体１Ａを嵌合部１２で嵌合保持した状態で揮散部本体１０内に装着することができると共に、薬剤Ｐの漏出を防止することが可能となる。
【００３０】
他方、図３に示すように、大口径の容器本体１Ｂの場合には、口筒部２に刻設されている雄ネジ部６が、揮散部本体１０の第２嵌合部１４の内周面に周突設されている小径状の係止凸部１４ａを乗り越えて係合すると共に、大口径の容器本体１Ｂ側のネックリング７Ｂが第１嵌合部１３の内周面に周突設されている大径状の係止凸部１３ａを乗り越えて係合する。このとき同時に第１被覆部１５の内周面に口筒部２先端が入り込み、第１被覆部１５の内周面と口筒部２先端の外周面とが密着する。これにより、大口径の容器本体１Ｂを嵌合部１２で確実に嵌合保持した状態で揮散部本体１０内に装着することができると共に、薬剤Ｐの漏出を防止することが可能となる。
【００３１】
図２又は図３に示すように揮散部本体１０の内部に容器本体１（小口径の容器本体１Ａ又は大口径の容器本体１Ｂ）を装着した揮散容器を、任意の設置場所に横置き状態で設置すると、容器本体１内の薬剤Ｐを揮散孔１６ａ、揮散通路Ｓ及び揮散口１７ｄを通じて外部の空気中に揮散させることが可能となる。
【００３２】
そして、上述のように揮散孔１６ａは、遮蔽体１７により外部に直接露出されない構成であるため、揮散容器を例えば浴室や屋外に設置して使用しても、遮蔽体１７がシャワーや雨等の水を遮って揮散孔１６ａからの水の侵入を防止することが可能であり、これにより容器本体１内に収容されている薬剤Ｐの変質を防止することができる。また水の影響による揮散速度の低下を抑止することが可能となるため、薬効成分を効率良く空気中に揮散させることができる。
【００３３】
以上、実施例に沿って本発明の構成とその作用効果について説明したが、本発明の実施の形態は上記実施例に限定されるものではない。
【００３４】
例えば、上記実施例では、角筒状の胴部４を有する容器本体１を示して説明したが、本発明の実施の形態は上記実施例に限定されるものではなく、容器本体１の胴部４は円筒状であってもよい。
【００３５】
また上記実施例では、第２嵌合部１４の内周面に係止凸部１４ａを刻設した場合を示して説明したが、円筒状の胴部４を有する容器本体１の場合には揮散部本体１０側の第２嵌合部１４の内周面に雌ネジ部を形成し、この揮散部本体１０の雌ネジ部と口筒部２の雄ネジ部６とが螺合することにより固定されるようにした構成とすることもできる。
【００３６】
さらに上記実施例では、収容部１１の下側面１１Ｄに、揮散部本体１０を横置きに設置する脚部１１ａを設けた構成を示して説明したが、接地面に対して左側面１１Ｃの下辺及び下側面１１Ｄの下辺が均等に接して横置き可能な場合等、脚部１１ａを設けなくとも揮散部本体１０の横置き安定させることが可能である限りにおいては、脚部１１ａは必須の構成ではない。
【産業上の利用可能性】
【００３７】
本発明は、浴室や屋外などに横置きに設置して使用される揮散容器の分野における用途展開をさらに広い領域で図ることができる。
【符号の説明】
【００３８】
１    ：  容器本体
１Ａ  ：  小口径の容器本体
１Ｂ  ：  大口径の容器本体
２    ：  口筒部
３    ：  肩部
４    ：  胴部
５    ：  底部
６    ：  雄ネジ部
７    ：  ネックリング
１０  ：  揮散部本体
１１  ：  収容部
１１Ａ：  上側面
１１Ｂ：  左側面
１１Ｃ：  右側面
１１Ｄ：  下側面
１１Ｅ：  開口部
１１ａ：  脚部
１２  ：  嵌合部
１３  ：  第１嵌合部
１３ａ：  大径状の係止凸部
１４  ：  第２嵌合部
１４ａ：  小径状の係止凸部
１５  ：  第１被覆部
１６  ：  仕切壁
１６ａ：  揮散孔
１７  ：  遮蔽体
１７ａ：  遮蔽前面壁
１７ｂ：  遮蔽側面壁
１７ｃ：  傾斜部
１７ｄ：  揮散口
１８  ：  第２被覆部
１９  ：  突片
Ｐ    ：  薬剤
Ｓ    ：  揮散通路
【図１】
0006537394.tif 000002
【図２】
0006537394.tif 000003
【図３】
0006537394.tif 000004